(57)【要約】【課題】  デジタルカメラ側の表示画面上に表示されているフレーミング画像と同じ縦横比を持つ画像が銀塩カメラの撮影で得られるハイブリッドカメラを提供すること。【解決手段】  写真のプリント領域の縦横比と撮像素子の感光面の縦横比を横寸法あるいは対角寸法を基準にしてあわせる。デジタルカメラ側の撮像素子で生成した画像データの中央部分を切り出し、その切り出した画像をＬＣＤパネル上にフレーミング画像として表示する。【選択図】  図４（ａ）
2005274985.tif 000002
【特許請求の範囲】
【請求項１】
写真フィルムが装填され装填された写真フィルム上に被写体の写真撮影を行なうとともに、撮像素子を備え該撮像素子を用いて被写体の画像データを生成して記録媒体に記録するハイブリッドカメラにおいて、
前記写真フィルム上に被写体を結像する焦点距離可変な第１の撮影光学系と、
前記撮像素子上に、前記第１の撮影光学系により前記写真フィルム上に結像される被写体と同一の被写体を結像させる第２の撮影光学系と、
前記記録媒体上に記録される画像データにより表わされる被写体の画角が、前記第１の撮影光学系の焦点距離の変更に連動して該第１の撮影光学系により前記写真フィルム上に結像される被写体の画角よりも狭まるように制御する画角制御部とを備えたことを特徴とするハイブリッドカメラ。
【請求項２】
前記画角制御部が、前記記録媒体に記録する画像データにより表わされる被写体の画角を、前記撮像素子により得られた画像データ上で該画像データにより表わされる被写体像の中央部を切り出す電子ズームにより制御するものであることを特徴とする請求項１記載のハイブリッドカメラ。
【請求項３】
前記第２の撮影光学系が焦点距離可変な撮影光学系であって、
前記画角制御部は、前記第２の撮影光学系の焦点距離を前記第１の撮影光学系の焦点距離の変更に連動させて変更することにより、前記記録媒体上に記録される画像データにより表わされる被写体の画角が、前記第１の撮影光学系により前記写真フィルム上に結像される被写体の画角よりも狭まるように制御するものであることを特徴とする請求項１記載のハイブリッドカメラ。
【発明の詳細な説明】
【技術分野】
【０００１】
本発明は、写真フィルムが装填され装填された写真フィルム上に被写体の写真撮影を行なうとともに、撮像素子を備えその撮像素子を用いて被写体の画像データを生成して記録媒体に記録するハイブリッドカメラに関する。
【背景技術】
【０００２】
カメラの中には撮影操作に応じて写真フィルム上に被写体像を形成することも、また撮影操作に応じて撮像素子で被写体を表わす画像データを生成してメモリカードにその被写体を表わす画像データを記録することもできるハイブリッドカメラと呼ばれるものがある。
【０００３】
このハイブリッドカメラは、銀塩カメラとデジタルカメラとの双方がカメラボディ内に配備されたものであって、高精細な静止画像が必要なときには銀塩カメラで写真フィルム上に撮影を行なうことも、スナップ写真あるいは動画を撮影したいときにはデジタルカメラで撮影を行なって撮像素子で生成した画像データをメモリカードに記録することもできる。
【０００４】
このようなハイブリッドカメラにおいてはファインダの代わりにデジタルカメラ側が備える表示画面がファインダとして用いられることが多い。一眼レフのように撮影光学系で捉えた被写体がファインダ光学系でも捉えられる構成であれば良いが、デジタルカメラの撮影光学系と銀塩カメラの撮影光学系とが独立に配備されているハイブリッドカメラにおいては、デジタルカメラの表示画面に表示される画像（以下フレーミング画像という）の縦横比と銀塩カメラで得た写真の画像（以下プリント画像という）の縦横比とが撮像素子の感光面の縦横比と写真フィルムの撮影コマの縦横比が異なるためくい違ってしまう場合がある。
【０００５】
そこで、フレーミング画像の縦横比とプリント画像の縦横比とが一致するように、写真フィルムの撮影コマの縦横比にあわせてデジタルカメラ側の撮像素子で生成した画像データの中央部分を切り出して電子ズームを行なうことにより焦点距離を調整して写真フィルムの撮影コマの縦横比と同じ縦横比のフレームング画像を表示画面上に表示するものがある（例えば特許文献１参照）。また、焦点距離を調整するにあたって、撮影コマの対角線にあわせて焦点距離の換算を行なう技術が特許文献２には記載されている。
【０００６】
図１（ａ）は、写真フィルムの撮影コマの縦横比とその撮影コマ内のプリント領域の縦横比と撮像素子の感光面の縦横比とを示す図である。図１（ａ）には特許文献１の技術により撮影コマの横寸法にあわせて撮像素子上に被写体を結像させた場合の例が示されている。なお、写真フィルムの撮影コマの縦横寸法は２４×３６ｍｍ（最初に書かれているのが縦寸法であり、後に書かれているのが横寸法）であるのに対し、５．０４×６．７２ｍｍと小さいため、撮影コマの横寸法（３６ｍｍ）を撮像素子の横寸法（６．７２ｍｍ）で割って倍率（５．３５７１４２８５７）を求め、図１には撮像素子の感光面をその倍率で拡大した図（縦横寸法２７×３６ｍｍ）が示されている。
【０００７】
以降、写真フィルム側の縦横比と撮像素子の感光面の縦横比を比較する場合には、写真フィルム側の寸法にあわせて拡大した感光面の縦寸法、横寸法を記述するものとする。
【０００８】
しかし、写真フィルムの撮影コマ内の横寸法を基準にして縦横比をあわせてはみてもこの撮影コマが現像されて写真になるときにはプリント画像の縦横比が２２．１：３１．５になって撮像素子の感光面の縦横比（２７：３６）との間に違いが生じてしまう。したがってこの撮像素子の感光面に結像された被写体を表示画面上に表示して撮影者にフレーミングを行なわせた場合には、フレーミング画像とプリント画像との間にやはりくい違いが生じてしまう。この図１（ａ）にはプリント画像になる部分である撮影コマ内のプリント領域の縦横比（２２．１；３１．５）が撮像素子の感光面上に点線で示されている。この点線で示すように表示画面上に表示されるフレーミング画像の縦横比（２７：３６）は、撮影コマ内のプリント領域の縦横比（２２．１：３１．５）よりも大きく、画角が拡がった被写体になっていることが分かる。
【０００９】
図１（ｂ）も、写真フィルムの撮影コマの縦横比と撮像素子の感光面の縦横比と撮影コマ内のプリント領域の縦横比とを示す図であり、この図１（ｂ）には特許文献２の技術により撮影コマの対角寸法Ａと感光面の対角寸法Ｂとをあわせるようにして撮像素子上に被写体を結像させた場合の例が示されている。
【００１０】
図１（ｂ）に示すように、この場合にもやはり撮影コマ内のプリント領域の縦横比（２２．１：３１．５）と感光面の縦横比（２５．９６：３４．６１）とが異なり、撮像素子に結像された被写体を表示画面上に表示して撮影者にフレーミングを行なわせた場合には、フレーミング画像の縦横比（２５．９６：３４．６１）とプリント画像の縦横比（２２．１：３１．５）との間に違いが生じてしまう。
【００１１】
図１（ａ）、図１（ｂ）から分かるように、写真フィルムの撮影コマの横方向、対角方向のいずれかを基準にして撮像素子の感光面の縦横比を撮影コマの縦横比にあわせる処理焦点距離の変更（電子ズームあるいは光学ズーム）により行なったとしても、撮像素子の感光面の縦横比が撮影コマ内のプリント領域（２２．１：３１．５）の縦横比を大きく超えてしまう。このため撮像素子で生成した画像データに基づく画像を表示画面にフレーミング画像として表示してそのフレーミング画像でフレーミングを行なわせて銀塩カメラで撮影者に撮影を行なわせると、図１（ａ）の場合には縦横比（２７：３６）の画像、図１（ｂ）の場合には縦横比（２５．９６：３４．６１）の画像を撮影したはずなのに、いずれの場合にも縦横比（２２．１：３１．５）のプリント画像が得られてしまう。つまり、同一の被写体を捉えたときに、デジタルカメラ側の撮影光学系の焦点距離を銀塩カメラ側の撮影コマにあわせて調整すると、デジタルカメラ側の撮影光学系で捉えた被写体の画角が拡がってしまう。
【特許文献１】特開平０９−２６９６４５号公報  （第９頁）
【特許文献２】特開平１４―１９０９８０号公報  （第２頁、段落番号０００４）
【発明の開示】
【発明が解決しようとする課題】
【００１２】
本発明は、上記事情に鑑み、表示画面上に表示されているフレーミング画像と同じ縦横比を持つ画像が写真で得られるハイブリッドカメラを提供することを目的とする。
【課題を解決するための手段】
【００１３】
上記目的を達成する本発明のハイブリッドカメラは、写真フィルムが装填され装填された写真フィルム上に被写体の写真撮影を行なうとともに、撮像素子を備えその撮像素子を用いて被写体の画像データを生成して記録媒体に記録するハイブリッドカメラにおいて、
上記写真フィルム上に被写体を結像する焦点距離可変な第１の撮影光学系と、
上記撮像素子上に、上記第１の撮影光学系により上記写真フィルム上に結像される被写体と同一の被写体を結像させる第２の撮影光学系と、
上記記録媒体上に記録される画像データにより表わされる被写体の画角が、上記第１の撮影光学系により上記写真フィルム上に結像される被写体の画角よりも狭まるように制御する画角制御部とを備えたことを特徴とする。
【００１４】
本発明のハイブリッドカメラによれば、上記画角制御部により、上記第２の撮影光学系で撮像素子上に結像させる被写体の画角が、上記第１の撮影光学系により写真フィルム上に結像される被写体の画角よりも狭まるように制御される。この制御により、例えば表示画面上に表示される被写体像の縦横比が写真のプリント領域の縦横比に一致して、フレーミング画像と撮影画像との縦横比の違いが解消される。
【００１５】
ここで、上記画角制御部は、上記記録媒体に記録する画像データにより表わされる被写体の画角を、上記撮像素子により得られた画像データ上でその画像データにより表わされる被写体像の中央部を切り出す電子ズームにより制御するものであっても、上記第２の撮影光学系が焦点距離可変な撮影光学系であれば、上記第２の撮影光学系の焦点距離を上記第１の撮影光学系の焦点距離の変更に連動させて変更することにより、上記記録媒体上に記録される画像データにより表わされる被写体の画角が、上記写真フィルム上に結像される被写体の画角よりも狭まるように制御するいわゆる光学ズームにより制御するものであっても良い。
【発明の効果】
【００１６】
以上、説明したように、デジタルカメラ側の表示画面上に表示されているフレーミング画像と同じ縦横比を持つ画像が銀塩カメラの撮影で得られるハイブリッドカメラが実現される。
【発明を実施するための最良の形態】
【００１７】
以下図面を参照して本発明の実施の形態を説明する。
【００１８】
以下、本発明の実施形態のハイブリッドカメラの構成を説明する。
【００１９】
図２は、ハイブリッドカメラ１の外観を示す図である。
【００２０】
図２（ａ）には正面図が、図２（ｂ）には図２（ａ）の中央を切断してその断面を横から見た図が、図２（ｃ）には背面図がそれぞれ示されている。
【００２１】
図２（ａ）に示すようにカメラボディ中央にレンズ鏡胴１０が備えられており、そのレンズ鏡胴には銀塩カメラの撮影レンズ１１ａが内蔵されている。またそのレンズ鏡胴１０の上方にＤＳＣの撮影レンズ１２ａが備えられており、そのＤＳＣ側の撮影レンズ１２ａの両側にはファインダ１３と閃光発光窓１４が備えられている。さらに、カメラボディ上面にはレリーズ釦１５０が配備されており、そのレリーズ釦１５０が操作されると、後述する制御部に撮影指示が伝えられる。
【００２２】
このようにこのハイブリッドカメラ１は銀塩カメラの第１の撮影光学系と、ＤＳＣの第２の撮影光学系とを各々独立に備えている。
【００２３】
図２（ｂ）には鏡胴断面を横方向から見た図が示されており、媒体装填室内に装填されたパトローネ１００と撮像素子１２０との位置関係が示されている。その媒体装填室に装填されたパトローネ１００内に巻回されている写真フィルムが給送モータ（不図示）により引き出されて撮影コマが撮影面にセットされ、そのセットされた撮影コマに第１の撮影光学系が備える撮影レンズ１１ａにより被写体が結像され、また第２の撮影光学系が備える第２の撮影レンズ１２ａによりその被写体と同一の被写体が撮像素子１２０に結像される。
【００２４】
また、図２（ｃ）に示す背面部にはスイッチ群１５と第２の撮影光学系１２が備える撮影レンズ１２ａで捉えたフレーミング画像が表示されるＬＣＤパネル１０１ａが配備されている。
【００２５】
ＬＣＤパネル１０１ａの上方には、表示画面のオンオフを指示する操作子１５１やメニューをＬＣＤパネル１０１ａ上に表示するためのメニュー釦１５２やその選択メニューが表示されたときに選択項目を指定するＯＫ釦１５３が配備されている。またＬＣＤパネル１０１ａの右脇にはそのＬＣＤパネル１０１ａ上に表示される選択項目を変更するためのＵＰキー１５４やＤＯＷＮキー１５５が、またその下方にはフラッシュ切替釦１５６が配備されている。このフラッシュ切換釦１５６が操作されると、プログラムフラッシュモードや赤目低減発光モードなどのうち、いずれかのフラッシュモードが指定される。
【００２６】
さらに、ＵＰキー１５４やＤＯＷＮキー１５５の隣にはモードダイヤル１５７が、そのモードダイヤル１５７の下方には電源スイッチ１５８が配備されている。このモードダイヤル１５７がＤＳＣモード、銀塩カメラモード、動画モード、再生モードのうち、ＤＳＣモード、銀塩カメラモード、動画モードの中のいずれかの撮影モードに切り換えられると、ＬＣＤパネル１０１ａ上に第２の撮影光学系１２の撮影レンズ１２ａで捉える被写体が表示される。この第２の撮影光学系の撮影レンズで捉える画像がフレーミング画像になる。
【００２７】
このモードダイヤル１５７が銀塩カメラモードに切り換えられＬＣＤパネル１０１ａ上に表示されているフレーミング画像によりフレーミングが行なわれシャッタチャンスにシャッタ釦１５０が押されると、第１の撮影光学系の撮影レンズ１１ａにより写真フィルム上に被写体が結像される。このハイブリッドカメラ１では第２の撮影光学系の撮影レンズ１２ａにより第１の撮影光学系の撮影レンズ１１ａが捉える被写体と同一の被写体が撮像素子１１０の感光面上に結像されるようになっており、その撮像素子１１０で生成される画像データの中の輝度情報に基づいて第１の撮影光学系１１が備える絞り兼用シャッタが駆動され、写真フィルムの撮影コマ上に被写体が適正光量で結像されるようになっている。またモードダイヤル１５７がＤＳＣモードあるいは動画モードに切り換えられシャッタ釦１５０が押されると、第１の撮影光学系が備える絞り兼用シャッタは駆動されずに、そのシャッタ釦が押されたタイミングに応じて撮像素子で画像データが生成され、その画像データがメモリカードに記録される。
【００２８】
また、第１の撮影光学系の撮影レンズの中には焦点距離可変なズームレンズが配備されており、そのズームレンズによる焦点距離の変更がモードダイヤル１５７の上方にあるズームスイッチ１５９の操作により行なわれる。またモードダイヤル１５７の横にはフィルムを交換するときに操作される裏蓋開閉摘み１５８１も設けられている。
【００２９】
また、モードダイヤル１５７が再生モードに切り換えられると、メモリカード内にある画像データのうち、最も新しい時刻に撮影された既撮影画像データに基づく画像がＬＣＤパネル１０１ａ上に表示される。このときにＵＰキー１５４あるいはＤＯＷＮキー１５５が操作されると、他の既撮影画像データに基づく画像がＬＣＤパネル１０１ａ上に次々と表示される。
【００３０】
図３は図１のハイブリッドカメラの内部構成を示す構成ブロック図である。
【００３１】
図３に示すようにＣＰＵ１１０とＤＳＰ１２０とで協同して図１のハイブリッドカメラ１全体の動作が制御される。ＣＰＵ１１０側のＥＥＰＲＯＭ１１１内にはプログラムが記述されており、そのプログラムに基づいてこのハイブリッドカメラ全体の動作を制御する処理がＣＰＵ１１０により実行される。
【００３２】
図３の構成に示すとおり、ＣＰＵ１１０により銀塩カメラ側の第１の撮影光学系側が制御され、そのＣＰＵ１１０の指示を受けたＤＳＰ１３０によりＤＳＣ１３０側の第２の撮影光学系側が制御される。
【００３３】
銀塩カメラ側の第１の撮影光学系１１は、フォーカスレンズとズームレンズを含む撮影レンズ１１ａとフィルムに与える光量を調節する絞り兼用シャッタ１１ｂを備えており、またＤＳＣ側の第２の撮影光学系１２はフォーカスレンズを含む撮影レンズ１２ａと絞り１２ｂとを備えている。
【００３４】
まずＤＳＣ側の動作を簡単に説明する。
【００３５】
ここでは、撮像素子１２０としてＣＭＯＳセンサが用いられており、その撮像素子１２０の後段には雑音を低減するためのＣＤＳ（Ｃｏｒｒｅｌａｔｅｄ  Ｄｏｕｂｌｅ  Ｓａｍｐｌｉｎｇ）１２１や振幅を調節するＡＧＣ（Ａｕｔｏ  Ｇａｉｎ  Ｃｏｎｔｏｒｏｌ）１２２が配備されている。これらが基板上に実装されフォルダに組み込まれた後、図２（ｂ）に示す位置に配設される。
【００３６】
撮影素子１２０では第２の撮影光学系１２で受光部つまり感光面に結像させた被写体光に基づくＲＧＢ信号が生成され、その生成されたＲＧＢ信号がＴＧ（タイミングジェネレータ）１２０ｄからのタイミング信号に応じてＣＤＳ／ＡＧＣ１２０ｂに所定の時刻（例えば３３ｍｓ）ごとに出力される。そのＣＤＳ／ＡＧＣ１２０ｂによって雑音が除去され、さらに振幅が調節されて、その雑音が除去され振幅が調節されたＲＧＢ信号がＡ／Ｄ部１２０ｃに供給され、デジタル信号に変換される。そのデジタル信号になったＲＧＢ信号がＤＳＰ１３０に供給され、ＲＧＢ信号に適宜画像処理が行なわれる。そのＲＧＢ信号に基づいて測光部１３２によって測光が行なわれ、測距部（以下ＡＦという）１３１によって被写体距離の測定が行なわれる。このＡＦ１３１による測距を行なうにあたってフォーカスレンズを移動させる必要があるのでフォーカス駆動部１２２が設けられており、また、測光部の測光結果に応じて絞りを駆動する必要があるのでドライバＩＣ１２１も設けられている。
【００３７】
また、デジタル信号となったＲＧＢ信号は１画面分全て一旦ＳＤＲＡＭ１４０に記憶され、ＤＳＰ内蔵のデジタルＩ／Ｏ、ＬＣＤコントローラを経てＲＧＢ画素配列パターンがＬＣＤパネル１０１に沿った形式に変更された後、ＬＣＤパネル１０１に転送される。上記デジタル信号となったＲＧＢ信号一画面分の信号は、３３ｍｓごとに更新され、更新されるたびにＬＣＤパネル１０１ａ上に表示される画像が切り換えられてあたかも動いている画像のように表示画面上に被写体を表わす画像が表示される。この画像がフレーミング画像になって撮影が行なわれる。
【００３８】
ここでシャッタ釦１５０が押されると、シャッタ釦１５０が押されたタイミングでＴＧ１２０ｄから露光開始指示を示すタイミング信号と露光終了指示を示す信号が所定の時間を隔ててそれぞれ供給される。露光を開始してから所定の時間を経た後、露光終了指示を示す信号が撮像素子１２０に供給されたら、撮像素子１２０内のＲＧＢ信号がＣＤＳ／ＡＧＣ１２１に出力され、ＤＳＰ１３０側に供給され、このＤＳＰ１３０に供給されたＲＧＢ信号すべてが一旦ＳＤＲＡＭ１４０に記憶される。その後、ＤＳＰ１３０によりＲＧＢ信号が読み出され、ＹＵＶ信号に変換され、さらにそのＹＵＶ信号が圧縮されて、圧縮されたＹＵＶ信号からなる画像データにヘッダが付加され画像ファイルとなってメモリカード１４１に画像データが記憶される。
【００３９】
このハイブリッドカメラではこのＤＳＰ１３０によってフレーミング画像を生成するにあたり、電子ズーム処理を行なってプリント画像の縦横比を持つ被写体を表示画面上に表示させるようにしている。勿論、ズームスイッチによりズーミング操作によりズーミングが指示されたときにも電子ズーム処理を行なっているため、ズーミング操作子から操作信号が供給されるＣＰＵ１１０からの指示に基づいてＤＳＰ１３０で１フレーム分の画像信号の中から中央部分を切り出す電子ズーム処理が行なわれている。このようにＣＰＵ１１０とＤＳＰ１３０により電子ズームにより被写体の中央部分が切り出され、被写体の画角が狭まるように制御される。このＣＰＵ１１０とＤＳＰ１３０が本発明にいう画角制御部にあたる。ＤＳＰ１３０には、他にバッテリチェック（以下ＢＣという）１３６なども内蔵されている。
【００４０】
次に銀塩カメラ側の動作を説明する。
【００４１】
このハイブリッドカメラにおいては、モードダイヤル１５７が銀塩カメラモードに切り換えられても、ＤＳＣ側で生成されたフレーミング画像は表示画面上に表示され、そのフレーミング画像によりフレーミングが行なわれシャッタ釦１５０が押される。
【００４２】
シャッタ釦１５０が押されると、ＣＰＵ１１０により絞り兼用シャッタ１１ｂが駆動され写真フィルム上に撮影が行なわれる。この絞り兼用シャッタ１１ｂを駆動するにあたっては、ＤＳＣ側の測光部１３２での測光値がＤＳＰからＣＰＵ１１０に伝えられ、第１の撮影光学系１１の絞り兼用シャッタ１１ｃの開放駆動制御が行なわれる。この絞り兼用シャッタ１１ｂはプログラムシャッタであり、その絞り兼用シャッタ１１ｂをプログラムシャッタとして作動させるためにＥＥＰＲＯＭ１１１内にはそのプログラムシャッタを駆動するために必要な絞りとシャッタスピードの組み合わせが絞り値として記録されている。ＤＳＣ側の測光部１３２で測定した測光値に応じてＣＰＵ１１０により、いずれかの絞り値が読み出され、その絞り値がドライバＩＣ１１ｃに供給される。ドライバＩＣ１１ｃではその絞り値になるように絞り兼用シャッタ１１ｂを最大開口角まで時間の経過とともに開放駆動して行なっていき所定の時間後に閉駆動する。
【００４３】
なお、図３の左下には第１の撮影光学系１１が備える撮影レンズ１１ａの中のズームレンズや第１の撮影光学系１１が備える絞り兼用シャッタ１１ｂや写真フィルムの給送を行なう給送モータそれぞれの駆動を行なう駆動部が一つのドライバＩＣ１１ｃで示されている。
【００４４】
また、このハイブリッドカメラ１には測温器１１３が配備されておりその測温器により測定された温度と絞り値に応じてフラッシュ１１４の発光時間などが細かく制御される。また、ＤＳＣ側、銀塩側ともに被写体距離を測定するＡＦ１３４、１１５が配備されているが、これは双方の被写体距離の測距値を補正するためのものである。
【００４５】
ここで、図１で説明した縦横比の違いがどのように解消されたかを、図１と同様の図を掲げた図４を参照して説明する。
【００４６】
図４（ａ）は、写真フィルムの撮影コマの縦横比とその撮影コマ内のプリント領域の縦横比と撮像素子の感光面の縦横比とを示す図であり、プリント領域の横寸法を基準にして感光面の縦横比をプリント領域の縦横比にあわせる場合の処理を説明する図である。
【００４７】
図４（ａ）に示すように、写真フィルムの撮影コマの縦横比は、２４：３６ｍｍであり、その撮影コマ内のプリント領域の縦横比は２２．１：３１．５ｍｍである。この２２．１×３１．５ｍｍのフィルムが現像され引き伸ばされると８９×１２７ｍｍのサービスサイズの写真になる。このサービスサイズと同じ縦横比つまりプリント領域の縦横比を持つ画像がフレーミング画像になるようにＣＰＵ１１０からの指示に基づいてＤＳＣ側のＤＳＰ１２０で画角を狭める制御つまり電子ズーム処理を行なっている。図１で説明したように撮像素子１１０ａの感光面の縦横比は物理的な寸法からいうと５．０４：６．７２（１：１．３３）になっており、この撮像素子の感光面の縦横比が写真フィルムの撮影コマのプリント領域の縦横比２２．１：３１．５つまり１：１．４３になるように電子ズームにより被写体の中央部分が切り出される。
【００４８】
この例では、ＤＳＣ側の撮像素子１１０ａの感光面の縦横比を、１：１．３３にするため、撮影コマ内のプリント領域の横方向を基準にして縦方向の切り出し寸法を予め算出しておきその算出しておいた寸法に基づいてＣＰＵ１１０がＤＳＰ１３０に電子ズーム処理を行なわせている。
【００４９】
ここで寸法の算出例を説明しておく。
【００５０】
この図４（ａ）には写真フィルムの撮影コマ内のプリント領域の横寸法を基準にして縦横比をあわせようとした場合の寸法算出例が示されている。
【００５１】
図１と同様に撮像素子の感光面の寸法を拡大して双方の縦横比の比較を行なう。ここでは写真フィルムの撮影コマのプリント領域の横寸法（３１．５）を撮像素子の感光面の横寸法（６．７２）で除算して倍率４．６８７５を求めて、その倍率４．６８７５で拡大した寸法を感光面の縦寸法（２３．６２５）として示してある。つまりこの拡大した寸法が２２．１ｍｍになれば、プリント領域と同じ縦横比が得られる。ここでは横寸法を合わせると、縦寸法が２３．６２５になり、ほぼプリント領域の２２．１ｍｍと一致する寸法が得られるが、少し長くなくなっているので電子ズーム処理により縦方向の画角を狭める制御を行なって双方の縦横比が限りなく一致するように調整している。
【００５２】
ＤＳＰ１２０で電子ズーム処理により被写体を表わす画像データの中央部分（点線で示す部分）が切り出されて画角が狭められた後、メモリカード１４１にその画角が狭められた画像データが記憶され、その画像データに基づく画像がＬＣＤパネル１０１ａ上に表示される。そうすると、フレーミング画像の縦横比が、写真のプリント領域の縦横比（２２．１：３１．５）と一致する。
【００５３】
また、図４（ｂ）には写真フィルムの撮影コマ内のプリント領域の対角寸法を同じにする処理を行なった場合の寸法例が示されている。
【００５４】
写真フィルムの撮影コマ内のプリント領域の対角寸法Ｃと撮像素子の感光面の対角寸法Ｄから３８．４８÷８．４＝４．５８１の倍率を算出して、その倍率から感光面の縦横寸法をそれぞれ算出すると、縦寸法が４．５８１×５．０４＝２３．０９ｍｍになり、横寸法が４．５８１×６．７２＝３０．７５ｍｍになる。
【００５５】
この縦横寸法２３．０９×３０．７５ｍｍはプリント領域の縦横比２２．１×３１．５ｍｍにほぼ一致しているが、ここでは縦方向２３．０９ｍｍが２２．１ｍｍよりも長くなった分、中央部分（点線内側の部分）を電子ズームで切り出して被写体の画角を狭めることにより撮影コマのプリント領域の縦横比（２２．１：３１．５）に限りなく近い縦横比を実現させている。この切り出した画像データに基づきＬＣＤパネル上にフレーミング画像が表示されると、プリント画像の縦横比と一致する縦横比を持つフレーミング画像が表示される。このフレーミング画像によりフレーミングが行なわれ撮影が行なわれると、フレーミング画像の縦横比と一致する縦横比のプリント画像が得られる。
【００５６】
また、その縦横比がプリント領域の縦横比と一致する縦横比になった既撮影画像データがメモリカード１４１に記録され、そのメモリカード１４１に記録された既撮影画像データに基づく既撮影画像がＰＣの表示画面上に表示されると、写真のプリント領域の縦横比と一致する縦横比を持つ被写体像が表示され、写真の仕上がりを表示画面上で確認することができるようになる。
【００５７】
図５は別例を示す図である。
【００５８】
電子ズームで切り出し処理を行なわずに第２の撮影光学系１８の撮影レンズ１８ａの中にズームレンズ１８１ａを配備して光学ズームにより焦点距離を調整するようにできるした場合の例である。
【００５９】
図５に示すように、このズームレンズ１８１ａは第１の撮影光学系のズームレンズ１１ｂと連動して動く。前述したようにＤＳＣ側の撮像素子１２０の感光面の縦横比は、写真フィルムのプリント領域の縦横比とは異なるものであり、かつ非常に小さい。この感光面に写真フィルムと同じ被写体を結像させるためには、ＤＳＰ１３０で電子ズームにより切り出す場合の被写体の縦横比を持つ被写体を撮像素子１２０の感光面上に結像させる必要がある。このため第２の撮影光学系のズームレンズ１８１ａを第１の撮影光学系のズームレンズ１２ｂと連動させたときに、ズームレンズを含む第２の撮影光学系の焦点距離を第１の撮影光学系の焦点距離よりも長くして被写体の画角を狭めて図３に示した電子ズーム処理により中央部分が切り出されたのと同じ縦横比の被写体をズームレンズにより撮像素子１２０の感光面上に結像させている。この例においては、ＣＰＵ１１０と第１の撮影光学系１１のズームレンズ１１ｂとそのズームレンズ１１ｂを駆動するドライバＩＣ１１ｃと第１の撮影光学系１１のズームレンズ１１ｂと連動して動く第２の撮影光学系１２のズームレンズ１８１ａとが本発明にいう画角制御部にあたる。
【００６０】
また、ズームスイッチ１５９の操作に応じても、被写体の画角を狭めて撮像素子１２０の感光面に被写体像を結像させれば、ズームスイッチ１５９によりどのような焦点距離が設定されても被写体の画角が狭められて撮影コマ内のプリント領域の縦横比にあった画像が撮像素子１２０の感光面に結像される。
【００６１】
このようにしておくと、ＬＣＤパネル１０１ａ上に表示させているフレーミング画像の縦横比を持つ画像が撮影時に写真フィルム上に結像され、図３、図４で説明した電子ズームにより被写体の画角を狭める制御を行なったのと同じ効果が得られる。
【図面の簡単な説明】
【００６２】
【図１（ａ）】写真フィルムの感光面の縦横比と撮像素子の感光面の縦横比と写真のプリント領域の縦横比とを示す図である。
【図１（ｂ）】写真フィルムの感光面の縦横比と撮像素子の感光面の縦横比と写真のプリント領域の縦横比とを示す図である。
【図２】ハイブリッドカメラの外観を示す図である。
【図３】写真フィルムの感光面の縦横比と写真フィルムのプリント領域の縦横比と撮像素子の感光面の縦横比とを示す図である。
【図４（ａ）】写真フィルムの感光面の縦横比と写真フィルムのプリント領域の縦横比と撮像素子の感光面の縦横比とを示す図である。
【図４（ｂ）】写真フィルムの感光面の縦横比と写真フィルムのプリント領域の縦横比と撮像素子の感光面の縦横比とを示す図である。
【図５】別例を示す図である。
【符号の説明】
【００６３】
１    ハイブリッドカメラ
１０    レンズ鏡胴
１１    第１の撮影光学系
１１ａ    撮影レンズ
１１ｂ    絞り兼用シャッタ
１２    第２の撮影光学系
１２ａ    撮影レンズ
１２ｂ    絞り
１３    ファインダ
１４    フラッシュ発光窓
１５    スイッチ群
１５０    シャッタ釦
１５１    ＬＣＤパネルスイッチ
１５２    ＯＫ釦
１５３    メニュー釦
１５４    ＵＰキー
１５５    ＤＯＷＮキー
１５６    フラッシュ切換釦
１５７    モードダイヤル
１５８    電源スイッチ
１５８１    裏蓋開閉摘み
１５９    ズームスイッチ
１０１    ＬＣＤ
１０１ａ    ＬＣＤパネル
１１０    ＣＰＵ
１１１    ＥＥＰＲＯＭ
１１２    Ｂ．Ｃ（バッテリチェック）
１１３    測温器
１１４    フラッシュ
１１５    ＡＦ
１２０    撮像素子
１２１    ＣＤＳ／ＡＧＣ
１２２    Ａ／Ｄ
１３０    ＤＳＰ
１３１    ＡＦ部
１３２    測光部
１３３    Ｂ．Ｃ（バッテリチェック部）
１４０    ＳＤＲＡＭ
１４１    メモリカード
【図１（ａ）】
2005274985.tif 000003
【図１（ｂ）】
2005274985.tif 000004
【図２】
2005274985.tif 000005
【図３】
2005274985.tif 000006
【図４（ａ）】
2005274985.tif 000007
【図４（ｂ）】
2005274985.tif 000008
【図５】
2005274985.tif 000009